【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
ユーザに体重減少ガイダンスを提供するシステムであって、
重量センサと、
グラフィカルユーザインタフェースを有するモバイル機器と、
前記モバイル機器及び前記重量センサのうちの少なくとも一つに操作的に結合されたプロセッサであって、実行の際に、
ユーザが選択した目標の体重減少に部分的に基づいてユーザの体重減少予測モデルにアクセスするステップと、
前記体重減少予測モデルのグラフィック描写及び前記重量センサによって経時的に測定された複数の体重測定のうちの少なくとも一つを、前記モバイル機器により前記グラフィカルユーザインタフェースの第１のアプリケーションウィンドウに表示させるステップであって、前記グラフィック描写は、前記第１のアプリケーションウィンドウの最近の体重測定に対する実行フラグを有し、前記体重減少予測モデル及び前記実行フラグを前記第１のアプリケーションウィンドウに同時に見ることができるようにし、前記実行フラグは、互いに視覚的に異なる図形アイコンを備える複数のパフォーマンスフラグの中から選択され、前記実行フラグの選択は、前記体重減少予測モデルとの適合の程度に基づいている、ステップと、
を実行する命令を有するプロセッサと、
を備えるシステム。
【請求項２】
前記体重減少予測モデルは、順守域を有し、前記複数の実行フラグは、最近の体重測定が前記順守域の範囲内にあることを示す第１のフラグを含む請求項１に記載のシステム。
【請求項３】
前記複数の実行フラグは、最近の体重測定が前記順守域の範囲内にあるが前記順守域の上限から予め決定された距離の範囲内にあることを示す第２のフラグを含む請求項２に記載のシステム。
【請求項４】
前記複数の実行フラグは、最近の体重測定が前記順守域の範囲内にあるが直前に描写された体重測定以上であることを示す第２のフラグを含む請求項２に記載のシステム。
【請求項５】
前記複数の実行フラグは、最近の体重測定が前記順守域より上であるが基準となる体重減少率より高い測定された体重減少率を表すことを示す第３のフラグを含む請求項２に記載のシステム。
【請求項６】
前記複数の実行フラグは、最近の体重測定が前記順守域の範囲内にないことを示す第３のフラグを含む請求項２に記載のシステム。
【請求項７】
前記プロセッサは、最近の描写された体重測定に対する実行フラグに基づいて複数のフィードバックメッセージの中から前記プロセッサにより選択されたフィードバックメッセージを前記グラフィカルユーザインタフェースによって描写させるように更に操作可能である請求項１に記載のシステム。
【請求項８】
前記体重減少予測モデルは、ネットワークを介して前記モバイル機器に接続されたリモートサーバによって決定される請求項１に記載のシステム。
【請求項９】
前記モバイル機器は、スマートフォンであり、前記重量センサは、前記モバイル機器と電気通信を行う電子体重計である請求項１に記載のシステム。
【請求項１０】
前記プロセッサは、推奨される歩数を第２のアプリケーションウィンドウに示すように更に適合される請求項１に記載のシステム。
【請求項１１】
前記モバイル機器は、第３のアプリケーションウィンドウにおけるユーザからの食物のログエントリを受け取るように更に操作可能である請求項１に記載のシステム。
【請求項１２】
前記プロセッサは、前記食物のログエントリをタンパク質の分量の値、糖質の分量の値及び脂質の分量の値に変換するように更に操作可能である請求項１１に記載のシステム。
【請求項１３】
前記プロセッサは、前記タンパク質の分量の値、前記糖質の分量の値及び前記脂質の分量の値を前記モバイル機器によって前記第３のアプリケーションウィンドウに示すように更に操作可能である請求項１２に記載のシステム。
【請求項１４】
前記プロセッサは、体重減少レポートをソーシャルメディアに公表するように更に操作可能である請求項１に記載のシステム。
【請求項１５】
前記体重減少レポートは、前記モバイル機器において複数の体重減少レポートから選択可能である請求項１４に記載のシステム。
【請求項１６】
ユーザに体重減少ガイダンスを提供するシステムであって、
重量センサと、
カロリー消費量測定装置と、
グラフィカルユーザインタフェースを有するモバイル機器と、
前記重量センサ、前記カロリー消費量測定装置及び前記モバイル機器のうちの少なくとも一つに操作的に結合されたプロセッサであって、実行の際に、
ユーザが選択した目標の体重減少に部分的に基づいてユーザに対する体重減少予測モデルを決定するステップと、
ユーザに示される第１の活動評価に基づいてユーザの最初の活動目標を決定するステップと、
前記体重減少予測モデル及び前記重量センサからの第１の複数の体重測定を、前記グラフィカルユーザインタフェースにより第１のアプリケーションウィンドウに表示させるステップであって、第１の複数の体重測定のうちの最近のものは、前記体重減少予測モデルとの適合の程度に基づいて複数の視覚的に異なる図形アイコンを備える複数のパフォーマンスフラグの中から選択される図形アイコンとしての実行フラグを有する、ステップと、
前記最初の活動目標及び前記カロリー消費量測定装置からの実現された活動を、前記グラフィカルユーザインタフェースにより第２のアプリケーションウィンドウに表示させるステップと、
前記第１の複数の体重測定の各々の前記実行フラグに部分的に基づいて第１の修正活動目標を決定するステップと、
前記第１の修正活動目標を、前記グラフィカルユーザインタフェースにより前記第２のアプリケーションウィンドウに表示させるステップと、
を実行する命令を有するプロセッサと、
を備えるシステム。
【請求項１７】
前記最初の活動目標は、最初の歩数目標であり、前記実現された活動は、平均歩数であり、前記第１の修正活動目標は、第１の修正歩数目標である請求項１６に記載のシステム。
【請求項１８】
前記第１の修正歩数目標は、前記体重減少予測モデルに適合する第１の複数の体重測定の各々に応答した前記最初の歩数目標の第１の割合の増加を表す請求項１７に記載のシステム。
【請求項１９】
前記第１の修正歩数目標は、前記体重減少予測モデルに適合する第１の複数の体重測定のうちの少なくとも一つに応答した、前記最初の歩数目標の前記第１の割合より低い前記最初の歩数目標の第２の割合の増加を表す請求項１８に記載のシステム。
【請求項２０】
前記プロセッサは、前記体重減少予測モデルに関連する第２の複数の体重測定に基づいて第２の修正歩数目標を決定するように更に構成された請求項１７に記載のシステム。
【請求項２１】
前記プロセッサは、ユーザが前記最初の歩数目標を達成したか否か及び前記体重減少予測モデルに関連する第２の複数の体重測定に基づいて第２の修正歩数目標を決定するように更に構成された請求項１７に記載のシステム。
【請求項２２】
前記第２の修正歩数目標は、
前記体重減少予測モデルに適合した前記第２の複数の体重測定の各々に応答した前記第１の修正歩数目標の第１の割合の増加と、
前記体重減少予測モデルに適合した前記第２の複数の体重測定の全てより少ないものに応答した、前記第１の修正歩数目標の第１の割合の増加より低い前記第１の修正歩数目標の第２の割合の増加と、
前記体重減少予測モデルに適合しない前記第２の複数の体重測定のうちの少なくとも一つに応答した前記第１の修正歩数目標のゼロの割合の増加とのうちの一つである請求項２０に記載のシステム。
【請求項２３】
前記プロセッサは、順守域を前記グラフィカルユーザインタフェースによって描写させるように更に構成された請求項１６に記載のシステム。
【請求項２４】
前記実行フラグは、複数の実行フラグの中から選択され、前記複数の実行フラグは、体重測定が順守域の範囲内にあることを示す第１のフラグ及び体重測定が順守域の範囲内にないことを示す第２のフラグを有する請求項２３に記載のシステム。
【請求項２５】
前記複数の実行フラグは、最近の体重測定が前記順守域の範囲内にあるが前記順守域の上限から予め決定された距離の範囲内にあることを示す第３のフラグを含む請求項２４に記載のシステム。
【請求項２６】
前記複数の実行フラグは、最近の体重測定が前記順守域の範囲内にあるが直前に描写された体重測定以上であることを示す第３のフラグを含む請求項２４に記載のシステム。
【請求項２７】
ユーザに体重減少ガイダンスを提供するシステムであって、
グラフィカルユーザインタフェース及びプロセッサを有するモバイル機器を備え、前記プロセッサは、実行の際に、
ユーザの生体データ及びユーザが選択した目標体重に基づいて体重減少予測モデルにアクセスするステップと、
前記体重減少予測モデルのグラフィック描写及び第１の段階の第１の複数の毎日の体重測定を前記グラフィカルユーザインタフェースによって第１のアプリケーションウィンドウに表示させるステップであって、第１の複数の体重測定のうちの最近のものは、複数の視覚的に異なる図形アイコンの中から選択される図形アイコンを備える第１の実行フラグとして描写される、ステップと、
前記第１の段階の終了時に、ユーザに対する予め決定された体重減少の障害の影響を調べるために複数の質問を前記グラフィカルユーザインタフェースによって提供するステップと、
前記グラフィカルユーザインタフェースで受け取った前記複数の質問に対する回答に基づいて、ユーザに対する前記予め決定された体重減少の障害をランク付けするステップと、
前記体重減少予測モデルのグラフィック描写及び第２の段階の第２の複数の毎日の体重測定を前記グラフィカルユーザインタフェースによって第１のアプリケーションウィンドウに表示させるステップであって、前記第２の複数の毎日の体重測定のうちの最近のものは、複数の視覚的に異なる図形アイコンの中から選択される図形アイコンを備える第２の実行フラグとして描写される、ステップと、
前記第２の段階のうちに、前記予め決定された体重減少の障害を克服するための定期的な計画を、前記前記グラフィカルユーザインタフェースによって、前記第１のアプリケーションウィンドウを通じてアクセス可能な第２のアプリケーションウィンドウに示し、前記定期的な計画は、前記プロセッサによる前記予め決定された体重減少の障害のランク付けに基づいてスケジュールされるステップと、
を前記モバイル機器に実行させる命令を有するシステム。
【請求項２８】
前記生体データは、年齢、性別、身長及び体重を含む請求項２７に記載のシステム。
【請求項２９】
前記予め決定された体重減少の障害は、食べ物の好み、活動の習慣、睡眠、ストレス及び食事習慣を含む請求項２７に記載のシステム。
【請求項３０】
前記プロセッサは、前記モバイル機器に組み込まれ、前記モバイル機器は、ウェアラブルデバイスと携帯用デバイスのうちの一方である請求項２７に記載のシステム。
【請求項３１】
前記プロセッサは、前記モバイル機器に対して遠隔設置されたクラウドサーバにおいてホストされる請求項２７に記載のシステム。
【請求項３２】
前記第１の実行フラグは、前記体重減少予測モデルへの適合の程度に基づいて複数の実行フラグの中から選択される請求項２７に記載のシステム。
【請求項３３】
前記プロセッサは、ユーザに対する食事療法を前記グラフィカルユーザインタフェースによって示すように更に操作される請求項２７に記載のシステム。
【請求項３４】
前記食事療法は、所定の期間に亘るカロリー制限を含む請求項３３に記載のシステム。
【請求項３５】
前記食事療法は、複数のミールリプレイスメント及び食事量制限を含む請求項３３に記載のシステム。